(57)【特許請求の範囲】
【請求項１】
往復移動する工作機械の防護扉である対象物の被清掃面に対して直立姿勢で押し付けながら、被清掃面に付着した異物を除去するワイパーであって、
前記被清掃面の直交方向に延在するように配置された取付部を有する本体部と、前記被清掃面に接触可能な端部を有するリップ部とが、長手方向の両面に互いに背向する溝として形成されるネック部を介して、直線状に前記被清掃面の直交方向に延在して一体化され、
前記取付部以外の部分はゴム弾性体で形成されており、
前記ゴム弾性体の硬さは、デュロメータＡ硬さで７５〜８５であり、
前記リップ部は、前記ネック部から延在すると共に前記長手方向に直交する断面が前記ネック部から前記端部に向かって先細りする台形状に形成されるリップ基部と、前記リップ基部から突出して前記端部を形成すると共に前記長手方向に直交する断面が矩形状に形成されるリップ先端部とからなり、
前記対象物が往復移動する際に、前記ネック部より端部側の前記リップ先端部を主体としたリップ部が弓なり状に弾性変形すると共に、前記ネック部から前記取付部の際までの前記本体部が弓なり状に弾性変形可能に構成されることを特徴とするワイパー。
【請求項２】
前記リップ先端部の延在方向の長さＬ１は、前記リップ先端部の往復移動方向の幅Ｗ１に対し、１≦Ｌ１／Ｗ１≦３の範囲を満たす、ことを特徴とする請求項１に記載のワイパー。
【請求項３】
前記リップ基部の前記台形状に先細りとなる長手方向の両面のなすリップ角度αは、１０〜２２度の範囲にあり、
前記リップ部の延在方向の長さＬ０は、前記リップ先端部の延在方向の長さＬ１に対し、６≦Ｌ０／Ｌ１≦８の範囲を満たす、ことを特徴とする請求項２に記載のワイパー。
【請求項４】
前記対象物の往復移動の初期動作時又は往復移動の方向切り替わり時に、前記被清掃面に対して往復移動方向のいずれか一方に傾斜して接触する前記リップ先端部の傾斜の向きが反転する、ことを特徴とする請求項１〜３のいずれかに記載のワイパー。
【請求項５】
前記本体部は、ゴム組成物で形成されると共に、前記取付部の近傍部分に補強部材を配合して形成され、
前記ネック部および前記リップ部は、補強部材を配合しないゴム組成物で形成される、ことを特徴とする請求項１〜４のいずれかに記載のワイパー。
【発明の詳細な説明】
【技術分野】
【０００１】
本発明は、往復移動する対象物の被清掃面に対して直立姿勢で押し付けながら、被清掃面に付着した異物を除去するワイパーに関する。
【背景技術】
【０００２】
従来から、多軸制御式の複合加工機などマシニングセンタと称される自動運転方式の工作機械は、運転中に、開口部から、人や異物等が内部に侵入しないように、また、切削加工に伴う切削液や切粉等が外部へ飛散しないよう、防護扉（以下、「ドア」と称する。）が閉じられた状態で自動運転が開始される。このような工作機械には、スライド操作で往復移動させて開閉されるスライドドアが用いられることが多い。一方、工作機械では、運転中にドアが閉じられた状態でもドアと機械側ボディとの間には一定の隙間（クリアランス）があるため、その隙間を抜けて、内部へ虫や粉塵の侵入や、外部への切削液や切り粉の飛散を許してしまう。また、工作機械が内部に存在するドアの内側の面には、切削液や切り粉が付着し堆積していく。
【０００３】
したがって、工作機械の機械側ボディにワイパーを取り付けて、ドアと機械側ボディとの間にできる隙間をワイパーで塞ぐとともに、ドアの往復移動によりドアの内側の面に付着した異物をワイパーで拭き取っている（特許文献１、２参照）。ここで、ワイパーは、工作機械の機械側ボディに設けられ、ワイパー先端をドア面に対して略垂直に向けた状態でドア面に所定の押付量（例えば２ｍｍ）になるようにして固定される。すなわち、ワイパーにおける被清掃面は、ドアの機械側ボディに近接して対向する面であり、被取付体は機械側ボディ（その側面や上面、または、その両方（このときワイパーの往復移動方向に直交する断面の形状はＬ形））である。なお、押付量は、工作機械ごとの個別の設計値であるが、ドア面のうねり等起伏の有無や、拭き取り性と耐久性との両立、等を考慮して決定される。一般的には、押付量は、概ね２ｍｍ前後とされる。
【０００４】
ここで、このようなワイパーが取り付けられた工作機械のドアは、オペレータによる手動またはモータによる電動でスライドされるが、その際の往復移動するドア面とワイパーとの作動力が問題となる。即ち、オペレータによる手動またはモータによる電動で工作機械のドアがスライド開閉される場合、往復移動するドア面とワイパーとの摺動抵抗が過度に大きいと、ドアの引きが重くなり、ドアの開閉時（即ち、被清掃面の往復移動時）に大きな作動力を要してしまう。そして、ドアの開閉時に、作動力を余計に要する分、オペレータやモータの負荷が増してしまう。その一方で、ワイパーの押付量を下げたり、ワイパーの剛性を下げたりして、往復移動するドア面とワイパーとの摺動抵抗を小さくすると、ドアの引きを軽くできるが、グリスや切削油の付着によりワイパーが膨潤し易くなることや、工作機械から飛散した切り粉によるワイパーの裂け、欠け、めくれなどの損傷を受け易くなることがあり、ワイパーの拭き取り性や耐久性を損ねてしまう。
【先行技術文献】
【特許文献】
【０００５】
【特許文献１】特開平０４−０１３２４５号公報
【特許文献２】特開２００５−６６３７６号公報
【発明の概要】
【発明が解決しようとする課題】
【０００６】
本発明は、上記のような課題を解決するものであり、対象物の被清掃面に対して直立姿勢で押し付けながら往復移動することにより、被清掃面に付着した異物を除去するワイパーであって、拭き取り性や耐久性を損なうことなく、対象物の往復移動時の作動力を抑制することができるワイパーを提供することを目的とする。
【課題を解決するための手段】
【０００７】
本発明者は、上記課題を解決すべく、対象物が往復移動する際のワイパーの挙動を誠意検討した結果、対象物の往復移動時の初期作動力を確実に抑制するためには、リップ部の先端部分にエッジ効果をもたせ、先端部分を主体としたリップ部分の剛性（以下、「先端剛性」と称する。）をさげることができればよいということを見いだして本発明を完成した。
すなわち、本発明に係るワイパーは、往復移動する工作機械の防護扉である対象物の被清掃面に対して直立姿勢で押し付けながら、被清掃面に付着した異物を除去するワイパーであって、前記被清掃面の直交方向に延在するように配置された取付部を有する本体部と、前記被清掃面に接触可能な端部を有するリップ部とが、長手方向の両面に互いに背向する溝として形成されるネック部を介して、直線状に前記被清掃面の直交方向に延在して一体化され、前記取付部以外の部分はゴム弾性体で形成されており、前記ゴム弾性体の硬さは、デュロメータＡ硬さで７５〜８５であり、前記リップ部は、前記ネック部から延在すると共に前記長手方向に直交する断面が前記ネック部から前記端部に向かって先細りする台形状に形成されるリップ基部と、前記リップ基部から突出して前記端部を形成すると共に前記長手方向に直交する断面が矩形状に形成されるリップ先端部とからなり、前記対象物が往復移動する際に、前記ネック部より端部側の前記リップ先端部を主体としたリップ部が弓なり状に弾性変形すると共に、前記ネック部から前記取付部の際までの前記本体部が弓なり状に弾性変形可能に構成されることを特徴とする。
【０００８】
本発明のワイパーによれば、本体部とリップ部は、ネック部を介して、直線状に被清掃面の直交方向に延在して一体化される。取付部は、本体部に被清掃面の直交方向に延在するように接合される。そして、ネック部より端部側のリップ先端部を主体にリップ部が大きく弓なり状に弾性変形することにより、ワイパーの取付部の際から端部にかかる押付量を吸収する。即ち、リップ先端部を主体としたリップ部の剛性の大小が、対象物の作動力（摺動抵抗）の大小に影響すると想定される。被清掃面に接触する端部を形成するリップ先端部の長手方向に直交する断面を矩形状の形状とすることにより、リップ部の端部にエッジ効果を付与して、被清掃面に即座にグリップできる。同時に、被清掃面の往復移動時の作動力と密接な関係にある押付初期の先端剛性を抑制して、しなやかに変形させて反転させうる。さらに、ネック部から取付部の際までの本体部も弓なり状に弾性変形可能に構成される。これにより、被清掃面が往復移動方向のいずれか一方の側へ移動中において、ワイパーは、リップ先端部より本体部の取付部の際までの部分について、取付部よりも一方の側に向かって弓なり状に弾性変形した形態になる。被清掃面の移動方向が変わり、被清掃面が往復移動方向の他方の側へ移動する際には、ワイパーは、リップ先端部より本体部の取付部の際までの部分について、取付部よりも他方の側に向かって弓なり状に弾性変形した形態になる。そして、ネック部より端部側の先端部を主体にリップ部が大きく弓なり変形しても押付量を吸収しきれない場合であっても、かかる押付量を吸収することができる。これにより、対象物の往復移動時の作動力を確実に抑制することができる。また、ワイパーを形成するゴム弾性体の硬さをデュロメータＡ硬さで７５〜８５とすることにより、ワイパーの拭き取り性や耐久性を確保できる。即ち、リップ部の先端部分（リップ先端部）の剛性を容易に下げるためにゴム弾性体の硬さを低くしすぎると、リップ先端部と被清掃面との摩擦係数が上昇してしまい、摺動抵抗の抑制に対する効果が相殺されるので、対象物の作動力を確実に抑制できなくなる。また、リップ先端部の耐摩耗性が悪化するほか、工作機械のドア用ワイパーの場合、飛散した切り粉によるリップ部の裂け、欠け、めくれなどの損傷を受け易くなることがあり、また、グリスや切削油の付着によりリップ部が膨潤し易くなり、拭き取り性や耐久性を損ねることがある。そこで、ワイパーを形成するゴム弾性体のゴム硬さをデュロメータＡ硬さで７５〜８５とすることにより、ワイパーに拭き取り性・耐摩耗性・耐損傷性等の耐久性を確実に併せ持つことができる。以上より、拭き取り性や耐久性を損なうことなく往復移動時の作動力を確実に抑制できるワイパーを提供できる。
ここで、硬さは、ＪＩＳ  Ｋ６２５３（２０１２）準拠のタイプＡデュロメーター（ゴム硬さ計）により測定した値である。
また、往復移動する対象物が工作機械の防護扉である。これにより、動力を確実に抑制して、工作機械内部への異物の侵入及び工作機械から発生した切削液や切り粉等の飛散を防止するべく防護扉と工作機械の隙間を素早く塞ぐことができる。また、拭き取り性や耐久性を損なうことなく、防護扉に付着した異物を拭き取ることができる。
【０００９】
上記ワイパーにおいて、前記リップ先端部の延在方向の長さＬ１は、前記リップ先端部の往復移動方向の幅Ｗ１に対し、１≦Ｌ１／Ｗ１≦３の範囲を満たして良い。
Ｌ１／Ｗ１が１より小さいと、先端剛性が大きくなり作動力が高くなる。また、Ｌ１／Ｗ１が３より大きいと、先端剛性が低下して拭き取り性が低下する。従って、１≦Ｌ１／Ｗ１≦３の範囲を満たすことにより、ワイパーのリップ部がしなやかに変形して反転することができる。
【００１０】
上記ワイパーにおいて、前記リップ基部の前記台形状に先細りとなる長手方向の両面のなすリップ角度αは、１０〜２２度の範囲にあり、
前記リップ部の延在方向の長さＬ０は、前記リップ先端部の延在方向の長さＬ１に対し、６≦Ｌ０／Ｌ１≦８の範囲を満たして良い。
リップ角度αが２２より大きいと、リップ部が弓なり状に変形しにくくなり、ビビリ音が発生する可能性がある。また、リップ角度αが１０より小さいと、先端剛性が低下して拭き取り性が低下する。同様に、Ｌ０／Ｌ１が６より小さいと、リップ部が弓なり状に変形しにくくなり、ビビリ音が発生する可能性がある。また、Ｌ０／Ｌ１が８より大きいと、先端剛性が低下して拭き取り性が低下する。従って、リップ基部の長手方向の両面のなすリップ角度αが１０〜２２度の範囲であり、６≦Ｌ０／Ｌ１≦８の範囲を満たすことにより、リップ部が適度に弓なり状に弾性変形し、先端剛性を抑制すると共に、拭き取り性や耐久性を確保することができる。
【００１１】
上記ワイパーにおいて、前記対象物の往復移動の初期動作時又は往復移動の方向切り替わり時に、前記被清掃面に対して往復移動方向のいずれか一方に傾斜して接触する前記リップ先端部の傾斜の向きが反転して良い。
初期作動力と往復移動の方向切り替わり時のリップ先端部の傾斜の向きが反転する際は、往復移動の作動中と比較してより大きい作動力を要するため、初期作動力や往復移動の方向切り替わり時においても拭き取り性や耐久性を損なうことなく、往復移動の方向切り替わり時の作動力を確実に抑制できるワイパーを提供できる。
【００１２】
上記ワイパーにおいて、前記本体部は、前記取付部の近傍部分に補強部材を配合して形成され、前記ネック部および前記リップ部は、補強部材を配合しないで形成されて良い。
これにより、ネック部およびリップ部が、可撓性を備えることができる。
【発明の効果】
【００１３】
以上の説明に述べたように、本発明によれば、往復移動する対象物の被清掃面に対して直立姿勢で押し付けることにより、被清掃面に付着した異物を除去するワイパーであって、拭き取り性や耐久性を損なうことなく、対象物の往復移動時の作動力を抑制することができるワイパーを提供することができる。
【図面の簡単な説明】
【００１４】
【図１】本実施形態に係るワイパーを示す斜視図である。
【図２】本実施形態に係るワイパーの寸法を示す図であり、（ａ）は正面図であり、（ｂ）は斜視図である。
【図３】本実施形態に係るワイパーの挙動を（ａ）〜（ｄ）の順に連続的に示す断面図である。
【図４】本実施例に係るワイパーの先端剛性を測定するオートグラフを示す模式図である。
【図５】本実施例に係るワイパーの摺動抵抗を測定する測定器を示す模式図である。
【図６】本実施例に係るワイパーについて測定された押付量と先端剛性の関係を示すグラフである。
【発明を実施するための形態】
【００１５】
本発明の実施の形態について図面を参照して説明する。
本実施形態に係るワイパーは、多軸制御式の複合加工機などマシニングセンタと称される自動運転方式の工作機械の防護扉（以下、「ドア」と称する。）等に用いられる。
【００１６】
［ワイパーの構成］
まず、図１及び図２に基づいて、本実施形態に係るワイパーについて説明する。図１は、本実施形態に係るワイパーを示す斜視図である。図２は、本実施形態に係るワイパーの寸法を示す図であり、（ａ）は正面図であり、（ｂ）は斜視図である。本実施形態に係るワイパー１は、往復移動する対象物の被清掃面（図示せず）に対して直立姿勢で押し付けることにより、被清掃面に付着した異物を除去するものである。
【００１７】
図１に示すように、ワイパー１は、取付部１１を有する本体部１０と、被清掃面に接触可能な端部２４を有するリップ部２０とが、長手方向の両面１２に互いに背向する溝として形成されるネック部２を介して、直線状に延在して一体化されて形成されている。
【００１８】
ワイパー１の取付部１１以外の部材（即ち、本体部１０、ネック部２及びリップ部２０）は、ゴム弾性体で形成される。ゴム弾性体は、クロロプレンゴム（ＣＲ）、アクリロニトリルブタジエンゴム（ＮＢＲ）、水素化ニトリルゴム（Ｈ−ＮＢＲ）、スチレンブタジエンゴム（ＳＢＲ）、エチレン・プロピレンジエンモノマー（ＥＰＤＭ）等を主成分とするゴム組成物からなる。ゴム組成物は、通常、補強のためのカーボンブラック、老化防止剤、可塑剤、加硫促進剤、加硫剤等の配合剤が配合される。また、短繊維等の補強部材は、本体部１０における取付部１１近傍部分には配合してもよいが、ネック部２及びリップ部２０には可撓性が求められるため配合しない。
【００１９】
ワイパー１を形成するゴム弾性体の硬さは、デュロメータＡ硬さで７５〜８５である。ゴム弾性体の硬さをデュロメータＡ硬さで７５〜８５とすることにより、摺動抵抗に直結する摩擦係数を確実に抑制でき、拭き取り性・耐摩耗性・耐損傷性等の耐久性を確実に併せ持つことができる。硬さは、ＪＩＳ  Ｋ６２５３（２０１２）準拠のタイプＡデュロメーター（ゴム硬さ計）により測定した。
【００２０】
本体部１０には、金属板からなる取付部１１が、被清掃面の直交方向に延在するように、接着剤により接合されている。そして、ワイパー１は、この取付部１１を介して、取付部１１は図示しない工作機械、特には、ドアの被清掃面に近接して対向する機械側のボディに固定される。通常は、ワイパー１の取付部１１に設けられた複数の取付孔部（図示なし）にボルトを通して締結される。尚、ワイパー１に金属製の取付部１１が接合される必要は必ずしもなく、ワイパー１の取付部１１が工作機械を構成する金属部品に取って代わる取付形態も可能である。
【００２１】
ネック部２は、図２（ｂ）に示すように、本体部１０及びリップ部２０の長手方向（図１における紙面右上方向且つ手前から奥方向）の両面１２に互いに背向する溝として形成される。即ち、ネック部２は、本体部１０及びリップ部２０の長手方向の両面１２が適度にくびれた形状をしており、ワイパー１に適度な屈曲性と弾性を付与するものである。
【００２２】
リップ部２０は、図１に示すように、リップ基部２１とリップ先端部２２とから構成される。リップ基部２１は、ネック部２から延在して長手方向に直交する断面（図１における紙面）が、ネック部２から端部２４に向かって先細りする台形状に形成される。また、リップ先端部２２は、リップ基部２１から突出して端部２４を形成して、長手方向に直交する断面が矩形状に形成される。
【００２３】
ここで、図２（ａ）及び（ｂ）に示すように、ワイパー１の寸法について定義する。即ち、ワイパー１の延在方向の全長をＬ、リップ部２０の延在方向の長さをＬ０、リップ先端部２２の延在方向の長さをＬ１、ネック部２の延在方向の長さをＬ２、本体部１０の延在方向の長さをＬ３、本体部１０の長手方向の長さをＬ４、取付部１１の延在方向の長さをＬ５、背面部のゴムの厚みをＬ６とする。また、本体部１０の往復移動方向の幅をＷ、端部２４の往復移動方向の幅をＷ１、リップ基部２１の往復移動方向の最大幅（ネック部２側の幅）をＷ２、ネック部２の往復移動方向の最小幅をＷ３、取付部１１の往復移動方向の幅をＴとする。更に、リップ基部２１の台形状に先細りとなる長手方向の両面１２のなすリップ角度をαとする。
【００２４】
本実施形態に係るワイパー１のリップ先端部２２の延在方向の長さＬ１は、リップ先端部２２の往復移動方向の幅Ｗ１に対し、１≦Ｌ１／Ｗ１≦３の範囲を満たすことが好ましい。Ｌ１／Ｗ１が１より小さいと、先端剛性が大きくなり作動力が高くなる。また、Ｌ１／Ｗ１が３より大きいと、先端剛性が低下して拭き取り性が低下する。従って、１≦Ｌ１／Ｗ１≦３の範囲を満たすことにより、ワイパーのリップ部がしなやかに変形して反転することができる。
【００２５】
また、本実施形態に係るワイパー１のリップ角度αは、１０〜２２度の範囲にあることが好ましい。リップ角度αが２２より大きいと、リップ部が弓なり状に変形しにくくなり、ビビリ音が発生する可能性がある。また、リップ角度αが１０より小さいと、先端剛性が低下して拭き取り性が低下する。また、本実施形態に係るワイパー１のリップ部２０の延在方向の長さＬ０は、リップ先端部２２の延在方向の長さＬ１に対し、６≦Ｌ０／Ｌ１≦８の範囲を満たすことが好ましい。Ｌ０／Ｌ１が６より小さいと、リップ部が弓なり状に変形しにくくなり、ビビリ音が発生する可能性がある。また、Ｌ０／Ｌ１が８より大きいと、先端剛性が低下して拭き取り性が低下する。従って、リップ基部２１の長手方向の両面のなすリップ角度αが１０°から２２°の範囲であり、６≦Ｌ０／Ｌ１≦８の範囲を満たすことにより、リップ部２０が適度に弓なり状に弾性変形し、先端剛性を抑制すると共に、拭き取り性や耐久性を確保することができる。
【００２６】
尚、本実施形態に係るワイパー１は、対象物の被清掃面に対してリップ部２０を押し付けながら、対象物を往復移動させて被清掃面を拭き取るワイパー１である。従って、取付部１１を含む本体部１０と往復移動方向に対称なリップ部２０とが、両面１２がくびれたネック部２を介して直線状に延在した構成で、所定の押付量にて被清掃面に略直角に押し付けられる。即ち、往復移動する被清掃面に対して、直立姿勢を保つように、ワイパー１が設けられる。
【００２７】
［ワイパーの挙動］
次に、本実施形態に係るワイパー１の挙動について、図３に基づいて説明する。図３は、本実施形態に係るワイパー１の挙動を示す断面図であり、（ａ）〜（ｄ）の順にワイパー１の挙動を連続的に示している。図３では、往復移動する対象物（例えばドア）の被清掃面５に対して、ワイパー１を押付量２ｍｍで押し付けている。
【００２８】
図３（ａ）に示すように、被清掃面５が往復移動方向のいずれか一方の側（紙面右側）へ移動中において、ワイパーは、摺動抵抗により、リップ部２０のリップ先端部２２も被清掃面の移動方向側である一方の側に引きずられる。そして、ワイパー１の端部２４は一方の側に露出すると共に、一方の側の最も遠い位置にずれて傾斜する。従って、ワイパー１は、リップ部２０の先端部２２より本体部１０の取付部１１の際までの部分について、取付部１１よりも一方の側に向かって弓なり状に弾性変形した形態を呈する。
【００２９】
次に、図３（ｂ）に示すように、被清掃面５の移動方向が変わり、被清掃面５が往復移動方向の他方の側（紙面左側）へ移動する際には、ワイパー１のリップ部２０は図３（ａ）と反対方向の摺動抵抗を受ける。そして、ワイパー１は、摺動抵抗により、被清掃面５に接触しているリップ部２０の先端部２２が、被清掃面の移動方向側である他方の側へ引きずられ始める。
【００３０】
次に、図３（ｃ）に示すように、ワイパー１のリップ部２０の端部２４が被清掃面５に当接してグリップするやいなや、リップ部２０の端部２４が一瞬つま先立つような姿勢となる（端部２４が支点となって踏ん張る格好）。この挙動は、本実施形態に係るワイパー１のように、往復移動する対象物の被清掃面５に直立姿勢で押し付けて、被清掃面５に付着した異物を拭き取る機能を備えるワイパー１にとっての特有の挙動である。尚、図３（ｃ）に示す挙動は、ワイパー１の押付量が浅い（例えば押付量１ｍｍ）場合は、ワイパー１の長手方向においてほぼ同時に起こり得る。しかしながら、通常条件の押付量（例えば押付け量２ｍｍ）の場合は、押付量が浅い場合よりもワイパー２の端部２４から取付部１１際までの部分にかかる圧縮度合が大きいため、比較的拘束の緩いワイパー１の長手方向における端部（片方の端部または両端部）から始まり、比較的拘束が強いワイパー１の長手方向における中央部分は遅れて起こる。
【００３１】
そして、図３（ｄ）に示すように、リップ部２０の先端部２２の位置が、本体部１０の取付部１１の位置より被清掃面５の移動方向側である他方の側に侵入すると、ワイパー１は、摺動抵抗を受けて、リップ部２０の端部２４が他方の側に引きずられて、他方の側に反転する。そして、ワイパー１の端部２４は他方の側に露出すると共に、他方の側の最も遠い位置にずれて傾斜する。従って、ワイパー１は、リップ部２０の先端部２２より本体部１０の取付部１１の際までの部分について、取付部１１よりも他方の側に向かって弓なり状に弾性変形した形態を呈する。即ち、図３（ｄ）に示すワイパー１の他方の側へ移動中の挙動は、図３（ａ）に示すワイパー１の一方の側へ移動中の挙動と対称形の弓なり状となる。
【００３２】
図３に示すワイパー１の挙動から、次のことが分かる。対象物の作動力に直結する摺動抵抗が最大となるのは、先端部２２が被清掃面５に当接してグリップした図３（ｃ）の状態から、先端部２２が反転した後の図３（ｄ）の状態へ移る間、ちょうどリップ部２０の端部２４が固定端である取付部１１の真下に差し掛かったとき、と推察される。なぜならば、被清掃面５に当接してグリップしたリップ部２０の端部２４が固定端である取付部１１の真下に入ったときが、リップ部２０の端部２４と取付部１１際までの距離が最小となり、ワイパー１の取付部１１際から端部２４にかかる圧縮が理論上最大となるからである。このとき、ネック部２より端部２４側の先端部２２を主体にリップ部２０が大きく弓なり変形して、押付量２ｍｍを吸収する（図示せず）。即ち、先端部２２を主体としたリップ部２０の剛性の大小が、対象物の作動力（摺動抵抗）の大小に影響すると想定される。尚、ネック部２より端部２４側の先端部２２を主体にリップ部２０が大きく弓なり変形しても、吸収しきれない場合は、ネック部２から取付部１１際までの本体部１０も弓なり変形すると想定される（図示せず）。
【００３３】
以上から、対象物の往復移動時の作動力を確実に抑制するためには、対象物の進行方向が変わる際の図３（ｃ）〜（ｄ）おけるワイパーの挙動、即ち、「リップ部の先端部分が被清掃面に対しグリップするやいなや、つま先立ち、被清掃面の移動方向に反転する挙動」における作動力を抑える必要があることが分かる。
【００３４】
そして、図３（ｃ）〜（ｄ）に示す挙動における作動力を抑えるためには、ワイパー１は、リップ部２０の先端部２２が即座にグリップでき、かつ、リップ部２０の先端部２２がしなやかに変形して反転できることが望まれる。ここで、「リップ部２０の先端部２２が即座にグリップできる」ためには、リップ部２０の先端部２２の断面形状が備えるエッジ効果が影響する。また、「リップ部２０の先端部２２がしなやかに変形して反転できる」ためには、リップ部２０の先端部２２を主体としたリップ部２０の剛性が影響する。従って、リップ部２０の先端部２２にエッジ効果をもたせると共に、リップ部２０の先端部２２を主体としたリップ部２０の剛性を下げるべく、リップ部２０の先端部２２の断面を矩形形状とすればよいことが分かる。
【００３５】
尚、押付量と先端剛性との関係から、被清掃面に直立姿勢で各部位が直線状に延在するワイパー１を押し付けて、リップ部２０の先端２４のみが被清掃面に当接する状態である押付初期が、先端剛性が最大となることが分かっている。そこで、リップ部２０の先端部２２を主体としたリップ部２０の剛性が下がり、対象物の往復移動時の作動力を確実に抑制できるか検証する際には、先端剛性が最大となる押付初期での先端剛性を測定すればよい。
【００３６】
以上のように、本実施形態に係るワイパー１によれば、被清掃面に接触する端部２４を形成するリップ先端部２２の長手方向に直交する断面を矩形状の形状とすることにより、リップ部２０の端部２４にエッジ効果を付与して、被清掃面に即座にグリップできる。同時に、被清掃面の往復移動時の作動力と密接な関係にある押付初期の先端剛性を確実に抑制して、しなやかに変形させて反転させうる。これにより、対象物の往復移動時の作動力を確実に抑制することができる。また、ワイパー１を形成するゴム弾性体の硬さをデュロメータＡ硬さで７５〜８５とすることにより、ワイパー１の拭き取り性や耐久性を確保できる。即ち、リップ部２０の先端部２２の剛性を容易に下げるためにゴム弾性体の硬さを低くしすぎると、リップ部２０の先端部２２と被清掃面との摩擦係数が上昇してしまい、摺動抵抗の抑制に対する効果が相殺されるので、対象物の作動力を確実に抑制できなくなる。また、リップ部２０の先端部２２の耐摩耗性が悪化するほか、工作機械のドア用ワイパーの場合、飛散した切り粉によるリップ部２０の裂け、欠け、めくれなどの損傷を受け易くなることがあり、また、グリスや切削油の付着によりリップ部２０が膨潤し易くなり、拭き取り性や耐久性を損ねることがある。そこで、ワイパー１を形成するゴム弾性体のゴム硬さをデュロメータＡ硬さで７５〜８５とすることにより、ワイパー１に拭き取り性・耐摩耗性・耐損傷性等の耐久性を確実に併せ持つことができる。以上より、拭き取り性や耐久性を損なうことなく往復移動時の作動力を確実に抑制できるワイパー１を提供できる。
【００３７】
以上、本発明の実施形態について図面に基づいて説明したが、具体的な構成は、これらの実施形態及び実施例に限定されるものでないと考えられるべきである。本発明の範囲は、上記した実施形態及び実施例の説明だけではなく特許請求の範囲によって示され、さらに特許請求の範囲と均等の意味および範囲内でのすべての変更が含まれる。
【実施例】
【００３８】
［ワイパーの材料及び寸法］
まず、本実施例で用いたワイパーの材料及び寸法について説明する。本実施例においては、実施例１〜３、比較例１〜３、及び参考例１〜６のワイパー１を作製した。
【００３９】
比較例１のワイパー１について、取付部１１以外の本体部１０、ネック部２、リップ部２０のゴム配合は、ＮＢＲ１００質量部、ＦＥＦカーボンブラック４０質量部、プロセスオイル１０質量部、硫黄２．５質量部、加硫促進剤１．５質量部である。また、実施例１及び参考例６のワイパー１については、ＦＥＦカーボンブラックを５０質量部とした以外は比較例１と同じゴム配合とした。実施例２、比較例２、３、及び参考例２〜５のワイパー１については、ＦＥＦカーボンブラックを６０質量部とした以外は比較例１と同じゴム配合とした。実施例３及び参考例１のワイパー１については、ＦＥＦカーボンブラックを７５質量部とした以外は比較例１と同じゴム配合とした。実施例１〜３、比較例１〜３、及び参考例１〜６のワイパー１について、これらをバンバリーミキサーで均一に混合した後、カレンダーロールによって６ｍｍ厚さのゴムシートを作製し、未加硫ゴムシートを作製した。また、実施例１〜３、比較例１〜３、及び参考例１〜６のワイパー１について、取付部１１は、厚さ１．６ｍｍの鉄板（冷間圧延鋼材（ＳＰＣＣ））である。
【００４０】
そして、下型に設けたキャビティ底面に取付部１１となる鉄板をまず配置し、その上に作製した未加硫ゴムシートを配置する。尚、未加硫ゴムシートは、厚さ６ｍｍで、シート長さは長手方向の面１２の長さと略同じ、シート幅は投入量で調整した。その後、下型に設けたキャビティに対応するキャビティを有する上型を組み合わせて型閉めする。そして、所定時間、加熱加圧して未加硫ゴムシート部分を加硫して得られた成形体を脱型して実施例１〜３、比較例１〜３、及び参考例１〜６のワイパー１を成形した。
【００４１】
尚、ゴム配合が異なるため、ゴム弾性体の硬さ（デュロメータＡ硬さ）は、比較例１のワイパー１については約７０、実施例１及び参考例６のワイパー１については約７５、実施例２、比較例２、３、及び参考例２〜５のワイパー１については約８０、実施例３及び参考例１のワイパー１については約８５となった。尚、取付部１１はゴムとの密着性を高めるため、加硫の前工程で加硫接着剤をゴム層と対向する面に公知の方法、条件にて塗布・乾燥させるとよい。また、ネック部２は、応力集中による引き裂きを防止するため、くびれた部分（溝の部分）の底面と各側面とを曲面（Ｒ０．１ｍｍ）で繋ぐ形態としている。
【００４２】
また、実施例１〜３、比較例１〜３、及び参考例１〜６のワイパー１について、寸法を、本体部１０の往復移動方向の幅Ｗを２ｍｍ、リップ基部２１の往復移動方向の最大幅Ｗ２を２．２ｍｍ前後、ネック部２の往復移動方向の最小幅Ｗ３を１ｍｍ、ネック部２の延在方向の長さＬ２を１ｍｍ、本体部１０の延在方向の長さＬ３を２８ｍｍ、本体部１０の長手方向の長さＬ４を１２０ｍｍ、取付部１１の延在方向の長さＬ５を２０ｍｍ、背面部のゴムの厚みＬ６を０．５ｍｍとした。
【００４３】
また、端部２４の往復移動方向の幅Ｗ１については、実施例１は０．３ｍｍ、実施例２、比較例３、及び参考例２〜５は０．５ｍｍ、実施例３及び比較例１、２は０．８ｍｍ、参考例６は０．９ｍｍ、参考例１は０．２ｍｍとした。また、リップ基部２１の往復移動方向の最大幅Ｗ２については、実施例１〜３、比較例１〜３、参考例４、６は２．２ｍｍ、参考例１は１．８ｍｍ、参考例２は１．７ｍｍ、参考例３は２．１ｍｍ、参考例５は２．３ｍｍとした。また、リップ部２０の延在方向の長さＬ０は、実施例１は７．２ｍｍ、実施例２は７ｍｍ、実施例３は４．８ｍｍ、比較例１、２は５ｍｍ、比較例３は７ｍｍ、参考例１は４．８ｍｍ、参考例２は３．６ｍｍ、参考例３は５ｍｍ、参考例４は９ｍｍ、参考例５は１２ｍｍ、参考例６は１０．１ｍｍとした。また、リップ先端部２２の延在方向の長さＬ１は、実施例１は０．９ｍｍ、実施例２は１ｍｍ、実施例３は０．８ｍｍ、比較例１〜３は０ｍｍ、参考例１は０．６ｍｍ、参考例２は０．４５ｍｍ、参考例３、４は１ｍｍ、参考例５は２ｍｍ、参考例６は２．７ｍｍとした。
【００４４】
そして、リップ基部２１の台形状に先細りとなる長手方向の両面１２のなすリップ角度αを、実施例１は１７．２°、実施例２は１６．１°、実施例３は１９．９°、比較例１、２は１６°、比較例３は１３．９°、参考例１〜３は２２°、参考例４は１２．１°、参考例５、６は１０°とした。
【００４５】
以上から、実施例１〜３、比較例１〜３、及び参考例１〜６のワイパー１の形状について、それぞれ、下記の特徴が挙げられる。
実施例１は、リップ先端部２２有、端部２４の往復移動方向の幅Ｗ１を望ましい範囲の下限寸法とした（０．３ｍｍ）。
実施例２：リップ先端部２２有、端部２４の往復移動方向の幅Ｗ１を好適な寸法とした（０．５ｍｍ）。
実施例３：リップ先端部２２有、端部２４の往復移動方向の幅Ｗ１を望ましい範囲の上限寸法とした（０．８ｍｍ）。
比較例１：リップ先端部２２無。リップ角度１６°、ゴム弾性体の硬さは７０として比較例の基準とした。
比較例２：リップ先端部２２無、比較例１と寸法は同じである。比較例１との相違点は、ゴム弾性体の硬さが８０であることである。
比較例３：リップ先端部２２無、端部２４の往復移動方向の幅Ｗ１およびリップ部２０の延在方向の長さを、実施例で好適な寸法とした（各々０．５ｍｍ、７ｍｍ）。
参考例１：リップ先端部２２有、端部２４の往復移動方向の幅Ｗ１を極端に小さくした（０．２ｍｍ）。
参考例２：リップ先端部２２有、端部２４の往復移動方向の幅Ｗ１を実施例で好適な寸法としたうえで、リップ先端部２２の延在方向の長さと端部２４の往復移動方向の幅の比Ｌ１／Ｗ１を、極端に小さくした（比率０．９、リップ先端部２２は太短）。
参考例３：リップ先端部２２有、端部２４の往復移動方向の幅Ｗ１を実施例で好適な寸法としたうえで、リップ部２０の延在方向の長さとリップ先端部２２の延在方向の長さの比Ｌ０／Ｌ１を、極端に小さくした（比率５）。
参考例４：リップ先端部２２有、端部２４の往復移動方向の幅Ｗ１を実施例で好適な寸法としたうえで、リップ部２０の延在方向の長さとリップ先端部２２の延在方向の長さの比Ｌ０／Ｌ１を、極端に大きくした（比率９）。
参考例５：リップ先端部２２有、端部２４の往復移動方向の幅Ｗ１を実施例で好適な寸法としたうえで、リップ先端部２２の延在方向の長さと端部２４の往復移動方向の幅の比Ｌ１／Ｗ１を、極端に大きくした（比率４、リップ先端部２２は細長）。
参考例６：リップ先端部２２有、端部２４の往復移動方向の幅Ｗ１を極端に大きくした（０．９ｍｍ）。
【００４６】
［先端剛性の測定試験］
実施例、比較例、及び参考例のワイパー１について、それぞれ、先端剛性を測定した。先端剛性の測定試験では、図４に示すように、オートグラフ３０にワイパー１を取り付け、テーブル３１上にリップ部２０を押付けて、押付量（ｍｍ）と先端剛性（Ｎ／ｃｍ）の関係を求める。測定条件は、圧縮速度１０ｍｍ／ｍｉｎ、直立姿勢、押付量（圧縮変位量）０．２５ｍｍ、室温２５±２℃である。なお、押付量（圧縮変位量）は、押付量（ｍｍ）と先端剛性（Ｎ／ｃｍ）との関係を把握するため、最大４．５ｍｍまで範囲を広げて測定した。
【００４７】
そして、押付量０．２５ｍｍにおける比較例１の先端剛性の値（１．３Ｎ／ｃｍ）を基準として、先端剛性が１．１Ｎ／ｃｍ以下のものは優れるとして◎、１．１Ｎ／ｃｍを超え１．５Ｎ／ｃｍ以下のものは同等として○、１．５Ｎ／ｃｍを超え２．０Ｎ／ｃｍ以下のものは劣るとして△、２．０Ｎ／ｃｍを超えるものは非常に劣るとして×と評価した。
先端剛性の測定試験の結果を、表２に示す。
【００４８】
尚、参考までに、実施例１〜３及び比較例１〜３について、押付量を変化させた場合の先端剛性を測定した。その結果を表１に示す。尚、表１では、実施例１〜３については先端剛性の値が近い値になるため、実施例２のみ全ての押付量に対する先端剛性を記載し、実施例１、３は押付量０．２５ｍｍ及び２ｍｍの場合のみ記載した。
【００４９】
【表１】
0006454198.tif 000002
【００５０】
表１に示す押付量と先端剛性との関係を図６に示す。図６から以下のことが分かる。
押付量が０．２５ｍｍの場合に、実施例１〜３及び比較例１〜３の先端剛性が最大になった。このことから、往復移動する対象物の被清掃面に直立姿勢で押し付けて、被清掃面に付着した異物を拭き取る機能を備えるワイパー１は、押付初期に先端剛性が最大になることが読み取れる。従って、この押付初期の先端剛性が低いほど、リップ部２０の先端部２２がしなやかに変形して反転させ得ることを示している。
また、押付量が０．５〜３．５ｍｍの場合には、押付量が増加しても押付初期に比べて、先端剛性は低下した水準で推移していることが分かる。即ち、押付量が増加しても、ネック部２が屈曲変形し、且つ、リップ部２０が弓なり状に弾性変形していることを示している。尚、先端剛性が低すぎると、拭き取り性に影響することがある。
【００５１】
［摺動抵抗の測定試験］
また、実施例、比較例、及び参考例のワイパー１について、それぞれ、摺動抵抗を測定した。摺動抵抗の測定試験では、ワイパー１を所定の押付量で一方の側へ被清掃面を移動させたあと、所定の押付量を維持したまま、正反対の他方の側へ被清掃面を移動させた際（リップ部反転時）の最大値を測定する。具体的には、図５に示すように、室温下（２５℃）でガイド４０により鉛直方向に案内されたワイパー１を、ステンレス板４１に押付量２ｍｍで押さえつけて、リップ部２０の先端部２２をステンレス板４１に接触させた状態で、ステンレス板４１を水平方向に速度５０ｍｍ／分で一方の側へ移動させた後、停止させた。次に、そのまま押付量２ｍｍを維持した状態で、正反対の他方の側へ、ステンレス板４１を水平方向に速度５０ｍｍ／分で移動させた。この正反対の他方の側へ被清掃面を移動させた際（リップ部反転時）の、ワイパー１に作用する水平方向の力の最大値をロードセル４２で測定し、摺動抵抗（Ｎ／ｃｍ）とした。測定条件は、直立姿勢で、押付量２ｍｍ、室温２５±２℃である。
【００５２】
そして、押付量２ｍｍにおける、実体モデルでの官能評価（即ち、オペレータによる手動操作による工作機械用ドア開閉時の初期作動力に関する評価。詳細な説明は省略する。）で許容限界とされる比較例１の値（１．２Ｎ／ｃｍ）を基準として、摺動抵抗が０．６Ｎ／ｃｍ以下のものは非常に優れるとして◎、０．６Ｎ／ｃｍを超え０．９Ｎ／ｃｍ以下のものは優れるとして○、０．９Ｎ／ｃｍを超え１．２Ｎ／ｃｍ以下のものは同等として△、１．２Ｎ／ｃｍを超えるものは×として評価した。即ち、摺動抵抗が０．６Ｎ／ｃｍ以下、及び０．６Ｎ／ｃｍを超え０．９Ｎ／ｃｍ以下のものは、◎及び○と評価され、往復移動時の初期作動力を確実に抑制できているものである。
摺動抵抗の測定試験の結果を、表２に示す。
【００５３】
尚、以下の表２に示す摺動抵抗の測定値の結果から、摺動抵抗は、先端剛性と摩擦係数の兼ね合いで決まることが分かる。
【００５４】
［拭き取り性・耐久性の測定試験］
また、実施例、比較例、及び参考例のワイパー１について、それぞれ、拭き取り性・耐久性を測定した。拭き取り性・耐久性の測定試験では、ワイパー１を所定の押付量で被清掃面に対して、１往復２５０ｃｍを４０万回（総移動距離１０００ｋｍ）、往復移動させたあと（図示せず）、被清掃面の拭き取り状態、リップ部の状態（損傷の有無、異音の有無等）を測定した。測定条件は、直立姿勢、押付量２ｍｍ、長手方向の面の長さ１２０ｍｍ、往復移動速度５０ｍ／分、切削油有り、切り粉有り、室温２５±２℃とした。ここで、切削油は、ＪＩＳ  Ｋ２２４１（２０００）準拠の水溶性切削油剤Ａ１種（シンセティックタイプ）とし、水道水で約２０倍に希釈したものを、約２０ｃｃ／分の割合で被清掃面上に滴下して被清掃面上に油膜が途切れないようにした。
【００５５】
そして、拭き取り性の評価として、被清掃面の拭き取り状態を目視により観察し、切り粉拭き残し無しのものは評価○、切り粉拭き残しが部分的に有るものは評価△、切り粉拭き残しが顕著なものは評価×として評価した。また、耐久性の評価として、リップ部の状態を目視により観察し、割れや欠け等の損傷が無いものは評価○、割れや欠け等兆候のみであって異音等軽微な不具合が有るものは評価△、割れや欠け等の損傷等重大な不具合が有るものは評価×として評価した。
拭き取り性・耐久性の測定試験の結果を、表２に示す。
【００５６】
［動摩擦係数の測定試験］
また、また、実施例、比較例、及び参考例のワイパー１について、それぞれ、動摩擦係数を測定した。動摩擦係数の測定試験では、動摩擦係数（μ）は、クーロンの経験則により、押付量２ｍｍにおける（摺動抵抗／先端剛性）として算出した。測定条件は、押付け量２ｍｍである。
動摩擦係数の測定試験の結果を、表２に示す。
【００５７】
［測定試験の結果］
以上に説明した通り、実施例、比較例、及び参考例のワイパー１について、先端剛性、摺動抵抗、拭き取り性・耐久性、動摩擦係数の測定試験の結果を、表２に示す。
【００５８】
【表２】
0006454198.tif 000003
【００５９】
表２に示す結果から、往復移動する対象物の被清掃面に直立姿勢で押し付けて、被清掃面に付着した異物を拭き取る機能を備えるワイパーにおいて、実施例１〜３については、先端剛性、摺動抵抗、拭き取り性・耐久性が全て優れており、動摩擦係数も抑えられ、拭き取り性・耐久性を損なうことなく対象物の往復移動時の作動力、特には往復移動時の初期作動力を確実に抑制できることがわかった。その一方、比較例１〜３については、先端剛性、摺動抵抗、拭き取り性・耐久性のいずれかが劣っており、また、動摩擦係数が上昇しており、拭き取り性・耐久性を損なうことなく対象物の往復移動時の作動力、特には往復移動時の初期作動力を確実に抑制できないことがわかった。また、参考例１〜６については、先端剛性、拭き取り性・耐久性のいずれかが劣る場合があったが、摺動抵抗が劣るものはなく、動摩擦係数は抑えられており、対象物の往復移動時の作動力、特には往復移動時の初期作動力を抑制できていることがわかった。
【００６０】
［考察］
表２に示す結果から、ワイパー１の各部について、下記の働きがあることが分かった。
リップ先端部２２は、比較例１のワイパーの先端剛性の値を基準として、リップ先端部２２がある実施例１〜３及び参考例１〜６のワイパー１が、リップ先端部２２がない比較例２、３に比べて、先端剛性が抑制できている。以上から、リップ先端部２２が長手方向に直交する断面形状を矩形状にすることにより、エッジ効果（グリップ）が付与でき、先端剛性を確実に抑制できていることが分かった。
【００６１】
端部２４の往復移動方向の幅Ｗ１は、実施例１〜３のワイパー１の先端剛性の測定結果に基づくと、Ｗ１が狭いほど先端剛性は小さい。また、Ｗ１が０．２ｍｍである参考例１のワイパー１ではリップ欠けの兆候があった。また、Ｗ１が０．９ｍｍである参考例６のワイパー１は、先端剛性の評価が△であった。以上から、先端剛性の抑制と拭き取り性・耐久性を確保するためには、端部２４の往復移動方向の幅Ｗ１が、０．３〜０．８ｍｍであり、０．５ｍｍ程度が好適であることが分かった。
【００６２】
リップ先端部２２の延在方向の長さと端部２４の往復移動方向の幅の比Ｌ１／Ｗ１について、０．９である参考例２のワイパー１では先端剛性の評価が△であった。また、４である参考例５のワイパー１では、先端剛性が過度に低下し拭き取り性の評価が△（部分的に拭き残り有り）であった。以上から、リップ部２０をしなやかに変形して反転させることにより、先端剛性を抑制するためには、リップ先端部２２の延在方向の長さと端部２４の往復移動方向の幅の比Ｌ１／Ｗ１が、１〜３であり、２程度が好適であることが分かった。
【００６３】
リップ部２０の延在方向の長さとリップ先端部２２の延在方向の長さの比Ｌ０／Ｌ１について、５である参考例３のワイパー１は、弓なり変形不足からビビリ音が有った。また、９である参考例４のワイパー１は、先端剛性が過度に低下し拭き取り性の評価が△（部分的に拭き残り有り）であった。以上から、ワイパー１が適度な弓なり状に弾性変形して、先端剛性の抑制と拭き取り性・耐久性の確保するためには、リップ部２０の延在方向の長さとリップ先端部２２の延在方向の長さの比Ｌ０／Ｌ１が、６〜８であり、７程度が好適であることが分かった。
【００６４】
リップ基部２１の台形状に先細りとなる長手方向の両面１２のなすリップ角度αについて、αが２２度である比較例５のワイパー１は、先端剛性の評価が△である。また、αが１０°である参考例５のワイパー１は、拭き残りが部分的にあった。また、αが２２度である参考例３のワイパー１は、ビビリ音が生じた。そこで、ワイパー１が適度な弓なり状に弾性変形して、先端剛性の抑制と拭き取り性・耐久性を確保するためには、リップ角度αは、リップ先端部２２の延在方向の長さと端部２４の往復移動方向の幅の比Ｌ１／Ｗ１、リップ部２０の延在方向の長さとリップ先端部２２の延在方向の長さの比Ｌ０／Ｌ１との兼ね合いから１０〜２２度であり、１６度程度が好適であることが分かった。
【００６５】
ゴムの硬さについて、デュロメータＡ硬さが７０である比較例１のワイパー１は、８０である比較例２のワイパー１に比べ、先端剛性の評価は〇であるが、先端剛性が低下して、摺動抵抗の評価が△となり、摩擦係数を確実に抑制できることにはならなかった。これは、デュロメータＡ硬さが７０である比較例１のワイパー１は、８０である比較例２のワイパー１に比べ、動摩擦係数が上昇したからであると推測される。また、デュロメータＡ硬さが７０である比較例１のワイパー１は、拭き取り性・耐久性の測定試験において、拭き残りが部分的にあった。これは、切削油の付着により、デュロメータＡ硬さが７０である比較例１のワイパー１は、８０である比較例２のワイパー１に比べ、リップ部（特には、その端部）の膨潤が進行したからであると推測される。以上から、ワイパー１の摺動抵抗に直結する摩擦係数を抑制して、耐摩耗性・耐損傷性等、拭き取り性・耐久性を確保するためには、ゴムの硬さの範囲を、デュロメータＡ硬さで７５〜８５とすると良いことが分かった。
【００６６】
以上より、往復移動する対象物の被清掃面に対して直立姿勢で押し付けることにより、被清掃面に付着した異物を除去するワイパーであって、拭き取り性や耐久性を損なうことなく、対象物の往復移動時の作動力を抑制するためには、リップ先端部２２が長手方向に直交する断面形状を矩形状にし、端部２４の往復移動方向の幅Ｗ１を０．３〜０．８ｍｍ（０．５ｍｍ程度が好適）とし、リップ先端部２２の延在方向の長さと端部２４の往復移動方向の幅の比Ｌ１／Ｗ１を１〜３（２程度が好適）とし、リップ部２０の延在方向の長さとリップ先端部２２の延在方向の長さの比Ｌ０／Ｌ１を６〜８（７程度が好適）とし、リップ角度αを１０〜２２度（１６度程度が好適）とし、ゴムの硬さの範囲を、デュロメータＡ硬さで７５〜８５とすると良いことが分かった。
【産業上の利用可能性】
【００６７】
本発明を利用すれば、往復移動する対象物の被清掃面に対して直立姿勢で押し付けることにより、被清掃面に付着した異物を除去するワイパーであって、拭き取り性や耐久性を損なうことなく、対象物の往復移動時の作動力を抑制するワイパーを提供することができる。
【符号の説明】
【００６８】
１    ワイパー
２    ネック部
５    被清掃面
１０  本体部
１２  両面
２０  リップ部
２１  リップ基部
２２  リップ先端部
２４  端部
【図１】
0006454198.tif 000004
【図２】
0006454198.tif 000005
【図３】
0006454198.tif 000006
【図４】
0006454198.tif 000007
【図５】
0006454198.tif 000008
【図６】
0006454198.tif 000009